(57)【要約】【課題】コンテンツを一覧表示した場合に、より一層コンテンツを容易に把握し得る画像処理装置を提供する。【解決手段】画像データ及び前記画像データの再生順序等の再生態様を示すプレイリストデータを生成する場合、プレイリストにて指定されている画像データに付加された日付情報に基づいてプレイリストの日付情報を生成し、この生成された日付情報をプレイリストに付加してプレイリストデータを生成する。【選択図】      図２
2004187066.tif 000002
【特許請求の範囲】
【請求項１】
画像データ及び前記画像データの再生態様を示すプレイリストデータを処理する画像処理装置であって、
前記プレイリストにて指定されている前記画像データに関する日付情報に基づいて前記プレイリストの日付情報を生成し、この生成された日付情報を前記プレイリストに付加して前記プレイリストデータを生成するプレイリスト処理手段を備えたことを特徴とする画像処理装置。
【発明の詳細な説明】
【０００１】
【発明の属する技術分野】
本発明は、画像データの再生位置、再生日時、再生順序等の再生態様を示すプレイリストの処理機能を有する画像処理装置に関する。
【０００２】
【従来の技術】
近年、デジタルカメラやデジタルビデオカメラなど動画像や静止画像のデジタル画像データを記録する機器が普及している。
【０００３】
デジタルカメラでは、記録媒体として小型メモリカードが広く利用されており、静止画像データだけでなく動画像データも記録できるものも登場している。また、デジタルビデオカメラでは、記録媒体としてテープだけでなく小型メモリカードや光磁気ディスクのようなランダムアクセス可能な記録媒体を使用するものが登場してきており、動画像データだけでなく静止画像データも記録可能になってきている。
【０００４】
このようなランダムアクセス可能な記録媒体を使用するデジタルビデオカメラでは、画像データをファイルの形式で保存する構成を採っている。また、その際、撮影した時間の日時情報も画像データに付加して記録するのが一般的である。
【０００５】
このように、画像データをファイル形式で保存する機器では、記録媒体に記録されているコンテンツを把握するために、ファイルの一覧表示をする方法が一般的に利用されている。特に、ファイルの一覧表示時には、画像データの撮影日時情報の順番に表示することが多い。
【０００６】
ここで、ファイルの一覧表示の例を図９に示す。図９では、画像データファイルとして、Ｍｏｖｉｅ０〜Ｍｏｖｉｅ５までの６個の画像データファイルが記録されている。
【０００７】
また、図９の例では、各画像データファイルの情報として、画像データのサムネイル画像と、画像データのファイル名と、画像データの撮影日時情報の３つの情報を表示しており、画像データファイルを撮影日時情報の順序でソートして表示しているので、ユーザにとっては撮影した順序で一覧表示されることとなり、一段とコンテンツの把握が容易になり、検索性が向上する。
【０００８】
さらに、近年では、ＧＰＳなどを利用することによって、撮影した場所の位置情報を画像データに付加して記録するデジタルカメラやビデオカメラも登場してきている。
【０００９】
このように、位置情報が付加されている画像データが記録されている記録媒体のコンテンツを把握する方法の一つとして、地図を表示して、その地図上に各画像データの位置情報を重ねて表示する方法が採られることがある。
【００１０】
地図を用いた表示の例を、図１０に示す。図１０では、画像データファイルとして、Ｍｏｖｉｅ０〜Ｍｏｖｉｅ５までの６個の画像データファイルが記録されている。
【００１１】
また、図１０の例では、各画像データファイルの情報として、画像データのサムネイル画像と、画像データのファイル名と、画像データの位置情報、という３つの情報を表示している。また、各画像データの位置情報に対応する地点を、地図上にポイントしている。
【００１２】
このように地図を用いて表示することによって、ユーザの撮影した場所が容易に理解できるようになり、検索性も向上する。
【００１３】
さらに、動画像データを扱う機器では、画像データの再生位置、再生時間、再生順序などをユーザが指定することが可能なプレイリストを作成可能なものも実現されている。プレイリストの生成処理は、一種の動画像データの編集操作であり、プレイリストを再生する場合は、プレイリストに従って登録されている画像データを順番に再生することが可能となる（例えば特許文献１参照）。
【００１４】
【特許文献１】
特開２００１−２０３９７３号公報
【００１５】
【発明が解決しようとする課題】
しかしながら、プレイリストを作成可能な機器では、プレイリストを保存する場合にはプレイリストを作成した日時情報を付加して保存するので、プレイリストを日時情報順に一覧表示した場合に、プレイリストに登録されている画像データの撮影日時等の日時情報とは全く関連のない順序で表示されてしまうという問題があった。
【００１６】
この問題は、プレイリストだけを一覧表示した場合だけでなく、画像データとプレイリストを混在させて一覧表示した場合でも起こる問題である。
【００１７】
プレイリストと画像データを混在させて、日時情報順に一覧表示している例を図１２に示す。この例では、ＰｌａｙＬｉｓｔ１．ｐｌというファイルが、ユーザが２００１年１１月１日に作成したプレイリストのファイルである。このプレイリストは、Ｍｏｖｉｅ０、Ｍｏｖｉｅ２、Ｍｏｖｉｅ３が順番に再生されるように登録されているとする。
【００１８】
図１２に示したように、プレイリストの日時情報はプレイリストの作成された日時情報であり、実際に再生される画像データの日時情報とは関連がない。この例では、プレイリストに登録されているＭｏｖｉｅ０、Ｍｏｖｉｅ２、Ｍｏｖｉｅ３という画像データの日時情報とは全く関連のない日時情報（２００１年１１月１日）がプレイリストの日時情報として記録されている。そのため、コンテンツを一覧表示した場合に、ユーザの意図した順番に並ばず、コンテンツを把握し難いという問題が生じる可能性がある。
【００１９】
また、位置情報に関しても同様の問題が考えられる。従来は、プレイリストを保存する場合には、プレイリストを作成した場所の位置情報を保存するか、もしくは位置情報無しの状態で保存している。これでは、プレイリストを地図上に一覧表示した場合に、プレイリストに登録されている画像データとは全く関連のない位置で表示されてしまい、コンテンツを把握し難いという問題があった。
【００２０】
プレイリストと画像データを混在させて、地図を用いて表示する例を図１３に示す。この例では、ＰｌａｙＬｉｓｔ１．ｐｌというファイルは、ユーザが▲７▼の地点で作成したプレイリストのファイルである。このプレイリストは、Ｍｏｖｉｅ０、Ｍｏｖｉｅ２、Ｍｏｖｉｅ３が順番に再生されるように登録されているものとする。
【００２１】
図１３に示したように、プレイリストの位置情報はプレイリストの作成された位置情報であり、実際に再生される画像データの位置情報とは関連がない。この例では、プレイリストに登録されているＭｏｖｉｅ０、Ｍｏｖｉｅ２、Ｍｏｖｉｅ３という画像データの位置情報とは全く関連のない位置情報がプレイリストの位置情報として記録されている。そのため、ユーザがコンテンツを地図を用いて一覧表示した場合に、地図上の意図しない地点に表示され、コンテンツを把握し難いという問題が生じる可能性がある。
【００２２】
本発明は、このような従来技術の問題に鑑みてなされたもので、その課題は、コンテンツを一覧表示した場合に、より一層コンテンツを容易に把握し得る画像処理装置を提供することにある。
【００２３】
【課題を解決するための手段】
上記課題を解決するため、本発明は、画像データ及び前記画像データの再生態様を示すプレイリストデータを処理する画像処理装置であって、前記プレイリストにて指定されている前記画像データに関する日付情報に基づいて前記プレイリストの日付情報を生成し、この生成された日付情報を前記プレイリストに付加して前記プレイリストデータを生成するプレイリスト処理手段を備えている。
【００２４】
【発明の実施の形態】
以下、本発明の実施の形態を、図面に基づいて詳細に説明する。
【００２５】
［第１の実施の形態］
図１は、本発明の第１の実施の形態に係る画像処理装置の構成を示す機能ブロック図である。
【００２６】
図１において、１１０は画像データやプレイリストが記録される記録媒体である。１２０は記録媒体１１０とデータのやり取りを行うファイルＩ／Ｏ部である。１３０はプレイリストの日時情報を取得するプレイリスト日時情報取得部である。１４０は画像データから日時情報やサムネイル画像データなどのメタデータを取得する、画像データメタデータ取得部である。なお、本実施形態では、プレイリストは、静止画像データや動画像データの再生順序を示すデータであるものとする。
【００２７】
１５０は記録媒体１１０に記録されているコンテンツを一覧表示するための表示画面を生成して出力する、コンテンツ一覧表表示部である。１６０はユーザの操作に従って全体的な動作の管理を行うプレイリスト編集管理部である。１７０はユーザの操作を受け付ける、ユーザ操作部である。１８０はプレイリスト編集時の表示画面を生成して出力する、プレイリスト編集表示部である。１９０は切替スイッチである。２００は表示部としてのモニタである。２１０はプレイリストに日時情報を付加する、プレイリスト日時情報付加部である。
【００２８】
なお、図１の画像形成装置は、ＣＰＵ３００、ＲＯＭ３０１、ＲＡＭ３０２を中核とするマイクロコンピュ−タにより構成され、特に、Ｉ／Ｏ部１２０、プレイリスト日時情報取得部１３０、画像データメタデータ取得部１４０、コンテンツ一覧表表示部１５０、プレイリスト編集管理部１６０、プレイリスト編集表示部１８０、切替スイッチ１９０、プレイリスト日時情報付加部２１０の機能は、ＲＯＭ３０１等に格納されたプログラムをＣＰＯ３００が実行することにより実現される。この場合、ＣＰＵ３００は、ＲＡＭ３０２をワークエリアとして利用する。
【００２９】
次に、以上のように構成された画像処理装置の動作を説明する。
【００３０】
第１の実施の形態のプレイリストには、日時情報を記録できるものとする。
また、第１の実施の形態に係る画像処理装置は、記録媒体に記録されているコンテンツの一覧機能と、プレイリストの編集機能を持ち、プレイリスト編集を行うプレイリスト編集モードと、コンテンツ一覧表示を行うコンテンツ一覧表示モードとを、ユーザ操作により切替えられるものとする。
【００３１】
この第１の実施の形態では、プレイリストを保存する際に、プレイリストに登録されている画像データの中で最初に再生される画像データの日時情報を用いて、プレイリストに日時情報を付加している。
【００３２】
まず、プレイリスト編集モード時の動作について説明する。
【００３３】
プレイリスト作成画面の例を、図１１に示す。この例では、タッチパネルを用いて、画面上にあるボタン等を操作することができる。
【００３４】
右側の画像データ一覧のエリアには、記録媒体に記録されている画像データのサムネイル画像の一覧が表示される。この例では、Ｍｏｖｉｅ０〜Ｍｏｖｉｅ５までの６つの画像データが記録媒体に記録されている。
【００３５】
左側のプレイリスト表示のエリアには、実際に作成中のプレイリストが表示されており、プレイリストに登録された画像データのサムネイル画像とファイル名が表示される。このプレイリスト表示のエリアで、当該エリアに登録・表示されている画像データを上の方から順番に再生するプレイリストを作成する。
【００３６】
この例では、最初に再生される画像データとしてＭｏｖｉｅ０が登録されている。その次に再生される画像データとして、Ｍｏｖｉｅ２が登録されている。最後に再生される画像データとして、Ｍｏｖｉｅ３が登録されている。
【００３７】
プレイリストへの画像データの登録は、タッチパネルを使用し、画像データ一覧で画像データのサムネイル画像を選択した後で「追加」ボタンを押すことにより行う。プレイリストに登録された画像データを削除する場合は、プレイリストに登録されている画像データを選択して、「削除」ボタンを押せばよい。プレイリストに登録した画像データの順番を変更する場合は、上下矢印ボタンを使用する。プレイリストをファイルとして保存する場合には、「保存」ボタンを使用する。
【００３８】
ユーザは、ユーザ操作部１７０を使ってこれらの指示をすることができる。その指示は、第１の実施形態ではユーザ操作部１７０上のタッチパネルとモード切替ボタンを用いて行うが、その他のマウスなどを使用してもよい。
【００３９】
このように操作することによって、プレイリストの作成が可能となる。ここでは、画像データの再生順序の設定だけが可能なプレイリストの編集について説明したが、その他にも再生の開始点，終了点や、エフェクトなどの設定が可能なプレイリストも存在する。
【００４０】
ユーザ操作部１７０のモード切替ボタンを使用してプレイリスト編集モードを指定した場合は、ユーザ操作部１７０は、プレイリスト編集管理部１６０にプレイリスト編集モード切替命令を出す。
【００４１】
プレイリスト編集管理部１６０は、ユーザ操作部１７０からプレイリスト編集モード切替命令を受け取ると、切替スイッチ１９０をＢの方に接続する。
【００４２】
切替スイッチ１９０がＢに切替わると、プレイリスト編集表示部１８０は、ファイルＩ／Ｏを介して、記録媒体１１０に記録されている全ての画像データのファイル名を取得する。次に、プレイリスト編集表示部１８０は、画像データメタデータ取得部１４０に、画像データのファイル名とともにサムネイル画像取得命令を送信することで、画像データメタデータ取得部１４０からサムネイル画像を取得する。
【００４３】
画像データメタデータ取得部１４０は、プレイリスト編集表示部１８０からファイル名とサムネイル画像取得命令を受け取ると、受け取ったファイル名をもつ画像データのサムネイル画像データを、Ｉ／Ｏ１２０を介して記録媒体１１０から読み込む。そして、画像データメタデータ取得部１４０はサムネイル画像データを取得すると、プレイリスト編集表示部１８０にサムネイル画像データを送信する。ここでは、画像データにサムネイル画像のデータが付加されているとしたが、画像データにサムネイル画像がない場合は、一般的に行われているように画像データを縮小してサムネイルを作成するような構成でもよい。
【００４４】
プレイリスト編集表示部１８０は、記録媒体に記録されている全ての画像データのサムネイル画像データを取得すると、そのサムネイルの一覧をユーザに示すために、切り替えスイッチ１９０を介してモニタ２００に表示する。図１１の、画像データ一覧エリアの表示処理が上記の処理部分に対応する。この例では、Ｍｏｖｉｅ０〜Ｍｏｖｉｅ５までの６つの画像データのサムネイルが表示されている。
【００４５】
次に、プレイリスト編集モード時のプレイリストエリアの動作について説明する。
【００４６】
プレイリスト編集には、ユーザ操作部１７０のタッチパネルを使用する。
【００４７】
ユーザがタッチパネルの或る位置を押すと、その位置を示す位置情報がユーザ操作部１７０からプレイリスト編集管理部１６０に送信される。
【００４８】
プレイリスト編集管理部１６０は、ユーザ操作部１７０から位置情報が送られてくると、その位置情報が何を意味するのか判断する。押された位置が画像データ一覧エリアであり、その位置にサムネイルが表示されている場合には、そのサムネイルの画像データのファイル名を保持しておく。また、そのサムネイルを選択状態にするために、プレイリスト編集表示部１８０に画像データのファイル名とサムネイル選択命令を送信する。
【００４９】
プレイリスト編集表示部１８０は、プレイリスト編集管理部１６０から画像データのファイル名とサムネイル選択命令が送られてくると、そのファイルに対応するサムネイルがわかるように選択状態にして表示する。選択状態の表示は、通常状態とは異なる色の線で囲って表示するなどの一般的な処理を行う。
【００５０】
プレイリスト編集管理部１６０は、選択状態のサムネイル画像に対応する画像データのファイル名だけでなく、編集中プレイリストデータもメモリ内に保持して管理する。編集中プレイリストデータは、登録されている画像データのファイル名のリストで構成されている。
【００５１】
押された位置が「追加」ボタンの領域だった場合には、プレイリスト編集管理部１６０は、現在選択されているサムネイルの画像データのファイル名を、編集中プレイリストデータに追加する。そして、プレイリスト編集管理部１６０は、編集中プレイリストデータをプレイリスト編集表示部１８０に送信する。
【００５２】
プレイリスト編集表示部１８０は、プレイリスト編集管理部１６０から編集中プレイリストデータを受け取ると、そこに登録されている画像データを表示する処理を行う。第１の実施の形態では、プレイリストの表示項目として、サムネイル画像とファイル名を表示する。
【００５３】
プレイリスト編集表示部１８０は、編集中プレイリストデータを受け取ると、そこに登録されている画像データのファイル名とサムネイル取得命令を画像データメタデータ取得部１４０に送信することで、その画像データに対応するサムネイル画像データを取得する。プレイリスト編集表示部１８０は、編集中プレイリストデータに登録されている全ての画像データのファイル名を使って順番にサムネイル画像データを取得して、図１１のようにサムネイル画像とファイル名を表示する。複数の画像データを編集中プレイリストに登録する場合は、「追加」ボタンを繰り返し使用する。
【００５４】
タッチパネル上の押された位置が「保存」ボタンの領域だった場合には、プレイリスト編集管理部１６０は、編集中プレイリストデータを記録媒体１１０に保存する処理を開始する。このプレイリスト保存処理を、図２のフローチャートに基づいて説明する。
【００５５】
プレイリスト編集管理部１６０は、「保存」ボタンが押されると、プレイリスト日時情報付加部２１０に、編集中プレイリストデータを送信する。
【００５６】
プレイリスト日時情報付加部２１０は、プレイリスト編集管理部１６０から編集中プレイリストデータを受け取ると、受け取った編集中プレイリストデータをファイルとして保存するフォーマットに変換する処理を行い、保存プレイリストデータを作成する。この処理が、図２のステップＳ１１０に対応する。
【００５７】
次に、プレイリスト日時情報付加部２１０は、編集中プレイリストデータの再生順序において先頭に登録されている画像データのファイル名を、日時情報取得命令とともに画像データメタデータ取得部１４０に送信する。画像データメタデータ取得部１４０は、プレイリスト日時情報付加部２１０からファイル名と日時情報取得命令を受け取ると、そのファイル名に対応する画像データの日時情報部分をＩ／Ｏ１２０を介して読み込み、日時情報を取得する。画像データメタデータ取得部１４０は、日時情報を取得するとプレイリスト日時情報付加部２１０に日時情報を渡す。これらの処理が、図２のステップＳ１２０に対応する。
【００５８】
プレイリスト日時情報付加部２１０は、編集中プレイリストの先頭に登録されている画像データの日時情報を取得すると、保存プレイリストデータにその日時情報を付加する処理を行う。この処理が、図２のステップＳ１３０に対応する。
【００５９】
なお、第１の実施の形態では、プレイリストファイルの中に当該ファイル自体の日時情報を持つことを前提としているが、プレイリストファイルに当該ファイル自体の日時情報がない場合は、プレイリストファイルに当該ファイル自体の日時情報として当該ファイルの作成日時を付加するような構成としてもよい。
【００６０】
プレイリスト日時情報付加部２１０は、保存プレイリストデータに日時情報を付加したあとに、Ｉ／Ｏ１２０を介して記録媒体１１０にプレイリストファイルとして保存する処理を行う。この処理は、図２のステップＳ１４０となる。
【００６１】
以上がプレイリスト編集モード時の動作である。ここでは、画像データの再生順序の設定だけが可能なプレイリストの編集について説明したが、その他にも動画データの再生開始点や再生終了点、モザイク等のエフェクト等の設定が可能なプレイリストに対しても本発明は適用可能である。
【００６２】
次に、コンテンツ一覧表示モード時の動作について説明する。
【００６３】
ユーザがユーザ操作部１７０のモード切替ボタンを使用してコンテンツ一覧表示モードを指定した場合は、ユーザ操作部１７０は、プレイリスト編集管理部１６０にコンテンツ一覧表示モード切替命令を出す。プレイリスト編集管理部１６０は、ユーザ操作部１７０からコンテンツ一覧表示モード切替命令を受け取ると、切替スイッチ１９０をＡの方に接続する。
【００６４】
切替スイッチ１９０がＡに接続されると、コンテンツ一覧表示部１５０は、ファイルＩ／Ｏ１２０を介して、記録媒体１１０に記録されている全てのファイル名を取得する。コンテンツ一覧表示部１５０は、全ファイルのファイル名を取得すると、各ファイルの日時情報データを取得する処理を行う。
【００６５】
ファイルが画像データの場合は、画像データメタデータ取得部１４０に画像データのファイル名と日時情報取得命令を渡すことで、その画像データの日時情報データを取得する。ファイルがプレイリストの場合は、プレイリストのファイル名とプレイリスト日時情報取得部１３０に渡すことで、そのプレイリストの日時情報を取得する。
【００６６】
画像データメタデータ取得部１４０は、コンテンツ一覧表示部１５０からファイル名とともに日時情報取得命令を受け取ると、受け取ったファイル名の画像データの日時情報部分を、Ｉ／Ｏ１２０を介して記録媒体１１０から読み込むことで、日時情報を取得する。そして画像データメタデータ取得部１４０は、取得した日時情報をコンテンツ一覧表示部１５０に送信する。
【００６７】
プレイリスト日時情報取得部１３０は、コンテンツ一覧表示部１５０からファイル名を受け取ると、受け取ったファイル名のプレイリストの日時情報部分を、Ｉ／Ｏ１２０を介して記録媒体１１０から読み込むことで、日時情報を取得する。そして、プレイリスト日時情報取得部１３０は、取得した日時情報をコンテンツ一覧表示部１５０に送信する。
【００６８】
コンテンツ一覧表示部１５０は、全てのファイルに対して日時情報を取得すると、日時情報の古い順にファイルをソートする。その後、コンテンツ一覧表示部１５０は、ユーザに一覧を示すために、切替スイッチ１９０を介してモニタ２００にコンテンツの一覧を表示する。
【００６９】
コンテンツ一覧表示の例を図３に示す。ここでは、一覧表示の項目として、ファイル名と日時情報を表示している。もちろん、サムネイル画像も表示するような構成にしてもよい。図３では、ＰｌａｙＬｉｓｔ１．ｐｌというプレイリストファイルが表示されているが、このプレイリストファイルは、図１１のプレイリストを保存したものとする。すなわち、図１１のようにＭｏｖｉｅ０、Ｍｏｖｉｅ２、Ｍｏｖｉｅ３が順番に再生されるように登録されている。
【００７０】
図３に示したように、ＰｌａｙＬｉｓｔ１．ｐｌというファイルが、１９９９年１２月１５日の位置に、このプレイリストに登録されている画像データＭｏｖｉｅ０．ｍｐｇとならんで表示されるので、非常にわかりやすくなっている。
【００７１】
上記のような構成とすることによって、プレイリストファイルはプレイリストに登録されている画像データに関連のある日時情報が自動的に記録されることになる。従って、コンテンツを日時情報順に並べて一覧表示を行った場合に、よりコンテンツの把握が容易になり、検索性が向上する。
【００７２】
なお、第１の実施の形態は、ランダムアクセス可能な記録媒体を使用するカメラ一体型レコーダや、パーソナルコンピュータのビデオ編集ソフトなどに適用される。
【００７３】
また、第１の実施の形態では、プレイリストに登録されている画像データの中で最初に再生される画像データの日時情報を利用して、プレイリストファイルの日時情報を作成する構成としたが、その他の基準で日時情報を選択してもよいのは言うまでもない。例えば、プレイリストに登録されている画像データの中で最後に再生される画像データの日時情報や、プレイリストに登録されている画像データの中で最も古い画像データの日時情報や、プレイリストに登録されている画像データの中で最も新しい画像データの日時情報を利用するといった構成でもよい。また、上述したような複数の日時選択の基準から、どれかをユーザに選択させてプレイリストの日時情報として記録するような構成にしてもよい。さらに、この選択対象の日時情報として、プレイリストの作成日時、任意に設定可能な日時を加えてもよい。
【００７４】
［第２の実施の形態］
図４は、第２の実施の形態に係る画像処理装置の構成を示す機能ブロック図である。図４において、図１と同じ番号が付されているブロックは、図１と同様の機能を持っている。
【００７５】
図４において、１１０は画像データやプレイリストが記録される記録媒体である。１２０は記録媒体１１０とデータのやり取りを行うファイルＩ／Ｏ部である。４３０はプレイリストの日時情報やサムネイル画像データなどのメタデータを取得するプレイリストメタデータ取得部である。１４０は画像データから、日時情報やサムネイル画像データなどのメタデータを取得する、画像データメタデータ取得部である。４５０は記録媒体１１０に記録されているコンテンツを一覧表示する、コンテンツ一覧表表示部である。なお、本実施形態では、プレイリストは、静止画像データや動画像データの再生順序を示すデータであるものとする。
【００７６】
１６０はユーザの操作に従って全体的な動作の管理を行うプレイリスト編集管理部である。１７０はユーザの操作を受け付ける、ユーザ操作部である。１８０はプレイリスト編集時の表示を行う、プレイリスト編集表示部である。１９０は切替スイッチである。２００は表示部としてのモニタである。５１０はプレイリストに日時情報とサムネイル画像データを付加する、プレイリストメタデータ付加部である。
【００７７】
なお、図４の画像形成装置は、ＣＰＵ３００、ＲＯＭ３０１、ＲＡＭ３０２を中核とするマイクロコンピュ−タにより構成され、特に、Ｉ／Ｏ部１２０、画像データメタデータ取得部１４０、コンテンツ一覧表表示部１５０、プレイリスト編集管理部１６０、プレイリスト編集表示部１８０、切替スイッチ１９０、プレイリストメタデータ取得部４３０、プレイリストメタデータ付加部５１０の機能は、ＲＯＭ３０１等に格納されたプログラムをＣＰＯ３００が実行することにより実現される。この場合、ＣＰＵ３００は、ＲＡＭ３０２をワークエリアとして利用する。
【００７８】
次に、以上のように構成された画像処理装置の動作を説明する。
【００７９】
第２の本実施の形態のプレイリストには、日時情報とサムネイル画像を記録できるものとする。また、第２の実施の形態に係る画像処理装置は、記録媒体に記録されているコンテンツの一覧機能と、プレイリストの編集機能を持ち、プレイリスト編集を行うプレイリスト編集モードと、コンテンツ一覧表示を行うコンテンツ一覧表示モードとを、ユーザ操作により切替えられるものとする。
【００８０】
この第２の実施の形態では、プレイリストを保存する際に、プレイリストに登録されている画像データの中で最も古い画像データの日時情報とサムネイル画像を用いて、プレイリストの日時情報とサムネイル画像を作成している。
【００８１】
まず、プレイリスト編集モード時の動作について説明する。プレイリスト編集モード時の動作は、プレイリスト保存処理以外は第１の実施の形態と同じであるので、同じ動作部分の説明を省略し、プレイリスト保存処理の部分のみを説明する。
【００８２】
タッチパネル上の押された位置が「保存」ボタンの領域だった場合には、プレイリスト編集管理部１６０は、編集中プレイリストデータを記録媒体１１０に保存する処理を開始する。このプレイリスト保存処理を、図５のフローチャートに基づいて説明する。
【００８３】
プレイリスト編集管理部１６０は、「保存」ボタンが押されると、プレイリストメタデータ付加部５１０に、編集中プレイリストデータを送信する。プレイリストメタデータ付加部５１０は、プレイリスト編集管理部１６０から編集中プレイリストデータを受け取ると、受け取った編集中プレイリストデータをファイルとして保存するフォーマットに変換する処理を行い、保存プレイリストデータを作成する。この処理が、図５のステップＳ２１０に対応する。
【００８４】
次に、プレイリストメタデータ付加部５１０は、編集中プレイリストデータの登録されている画像データの中で最も古い日時情報をもつ画像データのファイル名を、日時情報取得命令とともに画像データメタデータ取得部１４０に送信する。画像データメタデータ取得部１４０は、プレイリストメタデータ付加部５１０からファイル名と日時情報取得命令を受け取ると、そのファイル名に対応する画像データの日時情報部分をＩ／Ｏ１２０を介して読み込み、日時情報を取得する。画像データメタデータ取得部１４０は、日時情報を取得するとプレイリストメタデータ付加部５１０に日時情報を渡す。これらの処理が、図５のステップＳ２２０になる。
【００８５】
次に、プレイリストメタデータ付加部５１０は、編集中プレイリストデータの登録されている画像データの中で最も古い日時情報をもつ画像データのファイル名を、サムネイル取得命令とともに画像データメタデータ取得部１４０に送信する。画像データメタデータ取得部１４０は、プレイリストメタデータ付加部５１０からファイル名とサムネイル取得命令を受け取ると、そのファイル名に対応する画像データのサムネイル画像データをＩ／Ｏ１２０を介して読み込み、サムネイル画像データを取得する。画像データメタデータ取得部１４０は、サムネイル画像データを取得するとプレイリストメタデータ付加部５１０にサムネイル画像データを渡す。これらの処理が、図５のステップＳ２３０になる。
【００８６】
プレイリストメタデータ付加部５１０は、編集中プレイリストに登録されている最も古い画像データの日時情報とサムネイル画像データを取得すると、保存プレイリストデータにその日時情報とサムネイル画像データを付加する処理を行う。この処理が、図５のステップＳ２４０に対応する。
【００８７】
なお、第２の実施の形態では、プレイリストファイルの中に当該ファイル自体の日時情報を持つことを前提としているが、プレイリストファイルに当該ファイル自体の日時情報がない場合は、プレイリストファイルに当該ファイル自体の日時情報として当該ファイルの作成日時を付加するような構成としてもよい。
【００８８】
プレイリストメタデータ付加部５１０は、保存プレイリストデータに日時情報とサムネイル画像データを付加したあとに、Ｉ／Ｏ１２０を介して記録媒体１１０にプレイリストファイルとして保存する処理を行う。この処理は、図５のステップＳ２５０となる。
【００８９】
以上がプレイリスト編集モード時の動作である。第２の実施の形態は、画像データの再生順序の設定だけが可能なプレイリストの編集について説明したが、その他にも動画データの再生開始点や再生終了点、モザイク等のエフェクト等の設定が可能なプレイリストに対しても本発明は適用可能である。
【００９０】
次に、コンテンツ一覧表示モード時の動作について説明する。コンテンツ一覧表示モード時の動作については、一覧表示の項目としてサムネイル画像を表示する以外は第１の実施の形態と同様の動作となる。
【００９１】
ユーザがユーザ操作部１７０のモード切替ボタンを使用してコンテンツ一覧表示モードを指定した場合は、ユーザ操作部１７０は、プレイリスト編集管理部１６０にコンテンツ一覧表示モード切替命令を出す。プレイリスト編集管理部１６０は、ユーザ操作部１７０からコンテンツ一覧表示モード切替命令を受け取ると、切替スイッチ１９０をＡの方に接続する。
【００９２】
切替スイッチ１９０がＡに接続されると、コンテンツ一覧表示部４５０は、ファイルＩ／Ｏ１２０を介して、記録媒体１１０に記録されている全てのファイル名を取得する。コンテンツ一覧表示部４５０は、全ファイルのファイル名を取得すると、各ファイルの日時情報とサムネイル画像データを取得する処理を行う。
【００９３】
ファイルが画像データの場合は、画像データメタデータ取得部１４０に画像データのファイル名と日時情報取得命令を渡すことで、その画像データの日時情報データを取得する。また、画像データメタデータ取得部１４０に画像データのファイル名とサムネイル取得命令を渡すことで、その画像データのサムネイル画像データを取得する。
【００９４】
ファイルがプレイリストの場合は、プレイリストメタデータ取得部４３０にプレイリストのファイル名と日時情報取得命令を渡すことで、そのプレイリストの日時情報を取得する。また、プレイリストメタデータ取得部４３０にプレイリストのファイル名とサムネイル取得命令を渡すことで、そのプレイリストのサムネイル画像データを取得する。
【００９５】
画像データメタデータ取得部１４０は、コンテンツ一覧表示部１５０からファイル名とともに日時情報取得命令を受け取ると、受け取ったファイル名の画像データの日時情報部分を、Ｉ／Ｏ１２０を介して記録媒体１１０から読み込むことで、日時情報を取得する。
【００９６】
そして、画像データメタデータ取得部１４０は、取得した日時情報をコンテンツ一覧表示部１５０に送信する。また、画像データメタデータ取得部１４０は、コンテンツ一覧表示部１５０からファイル名とともにサムネイル取得命令を受け取ると、受け取ったファイル名の画像データのサムネイル画像データを、Ｉ／Ｏ１２０を介して記録媒体１１０から読み込むことで、サムネイル画像データを取得する。そして、画像データメタデータ取得部１４０は、取得したサムネイル画像データをコンテンツ一覧表示部４５０に送信する。
【００９７】
プレイリストメタデータ取得部４３０は、コンテンツ一覧表示部４５０からファイル名とともに日時情報取得命令を受け取ると、受け取ったファイル名のプレイリストの日時情報部分を、Ｉ／Ｏ１２０を介して記録媒体１１０から読み込むことで、日時情報を取得する。そして、プレイリストメタデータ取得部４３０は、取得した日時情報をコンテンツ一覧表示部４５０に送信する。
【００９８】
また、プレイリストメタデータ取得部４３０は、コンテンツ一覧表示部４５０からファイル名とともにサムネイル取得命令を受け取ると、受け取ったファイル名のプレイリストのサムネイル画像データを、Ｉ／Ｏ１２０を介して記録媒体１１０から読み込むことで、サムネイル画像データを取得する。そして、プレイリストメタデータ取得部４３０は、取得したサムネイル画像データをコンテンツ一覧表示部４５０に送信する。
【００９９】
コンテンツ一覧表示部１５０は、全てのファイルに対して日時情報とサムネイル画像データを取得すると、日時情報の古い順にファイルをソートする。その後、コンテンツ一覧表示部１５０は、ユーザに一覧を示すために、切替スイッチ１９０を介してモニタ２００にコンテンツの一覧を表示する。
【０１００】
コンテンツ一覧表示の例を図６に示す。ここでは、一覧表示の項目として、ファイル名と日時情報とサムネイル画像を表示するようになっている。もちろん、その他の情報を表示するような構成にしてもよいことはいうまでもない。
【０１０１】
図６では、ＰｌａｙＬｉｓｔ１．ｐｌというプレイリストファイルが表示されているが、このプレイリストファイルは図１１のプレイリストを保存したものとする。つまり、図１１のようにＭｏｖｉｅ０、Ｍｏｖｉｅ２、Ｍｏｖｉｅ３が順番に再生されるように登録されている。
【０１０２】
図６に示したように、ＰｌａｙＬｉｓｔ１．ｐｌというファイルが、１９９９年１２月１５日の位置に、このプレイリストに登録されている画像データの中で最も古いＭｏｖｉｅ０．ｍｐｇとならんで、１９９９年１２月１５日に表示されている。また、プレイリストファイルが持つサムネイル画像は、プレイリストの日時情報と関連のある画像なので、非常にわかりやすくなっている。
【０１０３】
上記のような構成とすることによって、プレイリストファイルは、プレイリストに登録されている画像データに関連のある日時情報とサムネイル画像データが自動的に記録されることになる。従って、コンテンツを日時情報順に並べて一覧表示を行った場合に、よりコンテンツの把握が容易になり、検索性が向上する。
【０１０４】
第２の実施の形態は、ランダムアクセス可能な記録媒体を使用するカメラ一体型ビデオカメラや、パーソナルコンピュータのビデオ編集ソフトなどに適用可能である。
【０１０５】
第２の実施の形態では、プレイリストに登録されている画像データの中で最も古い画像データを利用して、プレイリストファイルの日時情報とサムネイル画像データを作成する構成としたが、その他の基準で画像データを選択してもよいのは言うまでもない。例えば、プレイリストに登録されている画像データの中で最初に再生される画像データの日時情報や、プレイリストに登録されている画像データの中で最後に再生される画像データの日時情報や、プレイリストに登録されている画像データの中で最も新しい画像データの日時情報を利用するといった構成でもよい。
【０１０６】
また、上述したような複数の日時選択の基準から、どれかをユーザに選択させてプレイリストの日時情報として記録するような構成にしてもよい。さらに、この選択対象の日時情報として、プレイリストの作成日時、任意に設定可能な日時を加えてもよい。
【０１０７】
［第３の実施の形態］
次に、第３の実施の形態を説明する。第３の実施の形態の機能ブロック図は、第２の実施の形態の機能ブロック図である図４と同じなので、構成の説明は省略し、動作だけを説明する。
【０１０８】
第３の実施の形態のプレイリストには、日時情報とサムネイル画像と位置情報を記録記録できるものとする。また、第３の実施の形態に係る画像処理装置は、記録媒体に記録されているコンテンツの一覧機能と、プレイリストの編集機能を持ち、プレイリスト編集を行うプレイリスト編集モードと、コンテンツ一覧表示を行うコンテンツ一覧表示モードとを、ユーザ操作により切替えられるものとする。コンテンツ一覧機能では、地図を用いて表示する機能を持つ。なお、本実施形態では、プレイリストは、静止画像データや動画像データの再生順序を示すデータであるものとする。
【０１０９】
この第３の実施の形態では、プレイリストを保存する際に、プレイリストに登録されている画像データの中で、最も古い日時情報をもつ画像データの日時情報とサムネイル画像と位置情報を用いてプレイリストの日時情報とサムネイル画像と位置情報を作成している。
【０１１０】
最初に、プレイリスト編集モード時の動作について説明する。プレイリスト編集モード時の動作は、プレイリスト保存処理以外は第２の実施の形態の動作と同じであるので説明を省略し、プレイリスト保存処理の部分を説明する。
【０１１１】
タッチパネル上で押された位置が「保存」ボタンの領域だった場合には、プレイリスト編集管理部１６０は、編集中プレイリストデータを記録媒体１１０に保存する処理を開始する。このプレイリスト保存処理を、図７のフローチャートに基づいて説明する。
【０１１２】
プレイリスト編集管理部１６０は、「保存」ボタンが押されると、プレイリストメタデータ付加部５１０に、編集中プレイリストデータを送信する。プレイリストメタデータ付加部５１０は、プレイリスト編集管理部１６０から編集中プレイリストデータを受け取ると、受け取った編集中プレイリストデータをファイルとして保存するフォーマットに変換する処理を行い、保存プレイリストデータを作成する。この処理が、図７のステップＳ３１０に対応する。
【０１１３】
次に、プレイリストメタデータ付加部５１０は、編集中プレイリストデータの登録されている画像データの中で最も古い日時情報をもつ画像データのファイル名を、日時情報取得命令とともに画像データメタデータ取得部１４０に送信する。画像データメタデータ取得部１４０は、プレイリストメタデータ付加部５１０からファイル名と日時情報取得命令を受け取ると、そのファイル名に対応する画像データの日時情報部分をＩ／Ｏ１２０を介して読み込み、日時情報を取得する。画像データメタデータ取得部１４０は、日時情報を取得するとプレイリストメタデータ付加部５１０に日時情報を渡す。これらの処理が、図７のステップＳ３２０になる。
【０１１４】
次に、プレイリストメタデータ付加部５１０は、編集中プレイリストデータの登録されている画像データの中で最も古い日時情報をもつ画像データのファイル名を、サムネイル取得命令とともに画像データメタデータ取得部１４０に送信する。画像データメタデータ取得部１４０は、プレイリストメタデータ付加部５１０からファイル名とサムネイル取得命令を受け取ると、そのファイル名に対応する画像データのサムネイル画像データをＩ／Ｏ１２０を介して読み込み、サムネイル画像データを取得する。画像データメタデータ取得部１４０は、サムネイル画像データを取得するとプレイリストメタデータ付加部５１０にサムネイル画像データを渡す。これらの処理が、図７のステップＳ３３０になる。
【０１１５】
次に、プレイリストメタデータ付加部５１０は、編集中プレイリストデータの登録されている画像データの中で最も古い日時情報をもつ画像データのファイル名を、位置情報取得命令とともに画像データメタデータ取得部１４０に送信する。画像データメタデータ取得部１４０は、プレイリストメタデータ付加部５１０からファイル名と位置情報取得命令を受け取ると、そのファイル名に対応する画像データの位置情報をＩ／Ｏ１２０を介して読み込み、位置情報を取得する。画像データメタデータ取得部１４０は、位置情報を取得するとプレイリストメタデータ付加部５１０に位置情報を渡す。これらの処理が、図７のステップＳ３４０になる。
【０１１６】
プレイリストメタデータ付加部５１０は、編集中プレイリストに登録されている最も古い画像データの日時情報とサムネイル画像データと位置情報を取得すると、保存プレイリストデータにその日時情報とサムネイル画像データと位置情報を付加する処理を行う。この処理が、図７のステップＳ３５０に対応する。
【０１１７】
なお、第３の実施の形態では、プレイリストファイルの中に当該ファイル自体の日時情報を持つことを前提としているが、プレイリストファイルに当該ファイル自体の日時情報がない場合は、プレイリストファイルに当該ファイル自体の日時情報として当該ファイルの作成日時を付加するような構成としてもよい。
【０１１８】
プレイリストメタデータ付加部５１０は、保存プレイリストデータに日時情報とサムネイル画像データと位置情報を付加したあとに、Ｉ／Ｏ１２０を介して記録媒体１１０にプレイリストファイルとして保存する処理を行う。この処理は、図７のステップＳ３６０となる。
【０１１９】
以上がプレイリスト編集モード時の動作である。ここでは、画像データの再生順序の設定だけが可能なプレイリストの編集について説明したが、その他にも動画データの再生開始点や再生終了点、モザイク等のエフェクト等の設定が可能なプレイリストに対しても本発明は適用される。
【０１２０】
次に、コンテンツ一覧表示モード時の動作について説明する。
【０１２１】
ユーザがユーザ操作部１７０のモード切替ボタンを使用してコンテンツ一覧表示モードを指定した場合は、ユーザ操作部１７０は、プレイリスト編集管理部１６０にコンテンツ一覧表示モード切替命令を出す。プレイリスト編集管理部１６０は、ユーザ操作部１７０からコンテンツ一覧表示モード切替命令を受け取ると、切替スイッチ１９０をＡの方に接続する。
【０１２２】
切替スイッチ１９０がＡに接続されると、コンテンツ一覧表示部４５０は、ファイルＩ／Ｏ１２０を介して、記録媒体１１０に記録されている全てのファイル名を取得する。コンテンツ一覧表示部４５０は、全ファイルのファイル名を取得すると、各ファイルの日時情報とサムネイル画像データと位置情報を取得する処理を行う。
【０１２３】
ファイルが画像データの場合は、画像データメタデータ取得部１４０に画像データのファイル名と日時情報取得命令を渡すことで、その画像データの日時情報データを取得する。また、画像データメタデータ取得部１４０に画像データのファイル名とサムネイル取得命令を渡すことで、その画像データのサムネイル画像データを取得する。さらに、画像データメタデータ取得部１４０に画像データのファイル名と位置情報取得命令を渡すことで、その画像データのサムネイル画像データを取得する。
【０１２４】
ファイルがプレイリストの場合は、プレイリストメタデータ取得部４３０にプレイリストのファイル名と日時情報取得命令を渡すことで、そのプレイリストの日時情報を取得する。また、プレイリストメタデータ取得部４３０にプレイリストのファイル名とサムネイル取得命令を渡すことで、そのプレイリストのサムネイル画像データを取得する。さらに、プレイリストメタデータ取得部４３０にプレイリストのファイル名と位置情報取得命令を渡すことで、そのプレイリストの位置情報を取得する。
【０１２５】
コンテンツ一覧表示部１５０は、全てのファイルに対して日時情報とサムネイル画像データと位置情報を取得すると、日時情報の古い順にファイルをソートする。その後、コンテンツ一覧表示部１５０は、ユーザに一覧を示すために、切替スイッチ１９０を介してモニタ２００にコンテンツの一覧を表示する。
【０１２６】
コンテンツ一覧表示の例を図８に示す。ここでは、一覧表示の項目として、ファイル名とサムネイル画像と位置情報を表示するようになっている。もちろん、その他の情報を表示するような構成にしてもよいことはいうまでもない。
【０１２７】
図８では、ＰｌａｙＬｉｓｔ１．ｐｌというプレイリストファイルが表示されているが、このプレイリストファイルは図１１のプレイリストを保存したものとする。つまり、図１１のようにＭｏｖｉｅ０、Ｍｏｖｉｅ２、Ｍｏｖｉｅ３が順番に再生されるように登録されている。
【０１２８】
図８に示したように、ＰｌａｙＬｉｓｔ１．ｐｌというファイルが、このプレイリストに登録されている画像データの中で最も古いＭｏｖｉｅ０．ｍｐｇとならんで表示されている。さらに、プレイリストファイルの位置情報は、プレイリストの内容に関連のあるＭｏｖｉｅ０．ｍｐｇというファイルの位置情報なので、非常にわかりやすくなっている。
【０１２９】
上記のような構成とすることによって、プレイリストファイルはプレイリストに登録されている画像データに関連のある日時情報とサムネイル画像データと位置情報が自動的に記録されることになる。従って、画像データを位置情報を元に地図上に重ねて表示する場合に、よりコンテンツの把握が容易になり、検索性が向上する。
【０１３０】
第３の実施の形態は、ランダムアクセス可能な記録媒体を使用するカメラ一体型ビデオカメラや、パーソナルコンピュータのビデオ編集ソフトなどに適用される。
【０１３１】
上記のように、第３の実施の形態では、プレイリストに登録されている画像データの中で最も古い画像データを利用して、プレイリストファイルの日時情報とサムネイル画像データを作成する構成としたが、その他の基準で画像データを選択してもよいのは言うまでもない。例えば、プレイリストに登録されている画像データの中で最初に再生される画像データの日時情報や、プレイリストに登録されている画像データの中で最後に再生される画像データの日時情報や、プレイリストに登録されている画像データの中で最も新しい画像データの日時情報を利用するといった構成でもよい。
【０１３２】
また、上述したような複数の日時選択の基準から、どれかをユーザに選択させてプレイリストの日時情報として記録するような構成にしてもよい。さらに、この選択対象の日時情報として、プレイリストの作成日時、任意に設定可能な日時を加えてもよい。
【０１３３】
本発明は、上記実施形態に限定されることなく、例えば、プレイリストは、静止画像データや動画像データの再生順序に限らず、静止画像データの再生日時、エフェクト、動画像データの再生日時、エフェクト、再生開始点及び再生終了点を示すデータであってもよい。
【０１３４】
また、本発明の目的は、上記実施形態の機能を実現するソフトウェアのプログラムコードを記録した記憶媒体（または記録媒体）を、システム或いは装置に提供し、そのシステム或いは装置のコンピュータ（またはＣＰＵやＭＰＵ）が記憶媒体に格納されたプログラムコードを読み出し実行することによっても、達成されることは言うまでもない。
【０１３５】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼動しているオペレーティングシステム（ＯＳ）などが実際の処理の一部または全部を行い、その処理によって前述した実施形態の機能が実現される場合も含まれることは言うまでもない。
【０１３６】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図２、図５、図７に示す）フローチャートに対応するプログラムコードが格納されることになる。
【０１３７】
以上説明したように、本発明の基本構成は、画像データ及び前記画像データの再生態様を示すプレイリストデータを処理する画像処理装置であって、前記プレイリストにて指定されている前記画像データに関する日付情報に基づいて前記プレイリストの日付情報を生成し、この生成された日付情報を前記プレイリストに付加して前記プレイリストデータを生成するプレイリスト処理手段を備えたことを特徴とするものであるが、この実施形態としては、以下のようなものが考えられる。
【０１３８】
［実施形態１］  前記プレイリスト処理手段は、前記プレイリストにて指定されている画像データの中で、最初に再生される画像データの日時情報に基づいて前記プレイリストの日時情報を生成することを特徴とする基本構成に係る画像処理装置。
【０１３９】
［実施形態２］  前記プレイリスト処理手段は、前記プレイリストにて指定されている画像データの中で、最後に再生される画像データの日時情報に基づいて前記プレイリストの日時情報を生成することを特徴とする基本構成に係る画像処理装置。
【０１４０】
［実施形態３］  前記プレイリスト処理手段は、前記プレイリストにて指定されている画像データの中で、最も古い日時情報をもつ画像データの日時情報に基づいて前記プレイリストの日時情報を生成することを特徴とする基本構成に係る画像処理装置。
【０１４１】
［実施形態４］  前記プレイリスト処理手段は、前記プレイリストにて指定されている画像データの中で、最も新しい日時情報をもつ画像データの日時情報に基づいて前記プレイリストの日時情報を生成することを特徴とする基本構成に係る画像処理装置。
【０１４２】
［実施形態５］  前記プレイリスト処理手段は、前記プレイリストに登録されている画像データの中で、最初に再生される画像データの日時情報、又は最後に再生される画像データの日時情報、又は最も古い日時情報をもつ画像データの日時情報、又は最も新しい日時情報をもつ画像データの日時情報の何れか１つを選択させる選択手段を有し、前記選択手段により選択された日時情報に基づいて前記プレイリストの日時情報を生成することを特徴とする基本構成に係る画像処理装置。
【０１４３】
［実施形態６］  前記プレイリスト処理手段は、さらに前記プレイリストを作成した日時の日時情報、設定可能な任意の日時情報を加えた６つの日時情報の中から１つを選択させることを特徴とする実施形態５に係る画像処理装置。
【０１４４】
［実施形態７］  前記プレイリストは、サムネイル画像を指定することが可能であり、前記プレイリスト処理手段は、前記プレイリストにて指定されている画像データを利用して前記プレイリストのサムネイル画像を生成し、この生成されたサムネイル画像を前記プレイリストに付加して前記プレイリストデータを生成することを特徴とする基本構成、実施形態１〜６の何れかに係る画像処理装置。
【０１４５】
［実施形態８］  前記プレイリスト処理手段は、前記プレイリストの日時情報を作成するときに用いた画像データと同じ画像データに基づいて前記プレイリストのサムネイル画像を生成することを特徴とする実施形態７に係る画像処理装置。
【０１４６】
［実施形態９］  前記画像データとプレイリストは、位置情報を指定することが可能であり、前記プレイリスト処理手段は、前記プレイリストにて指定されている前記画像データに関する位置情報に基づいて前記プレイリストの位置情報を生成し、この生成された位置情報を前記プレイリストに付加して前記プレイリストデータを生成することを特徴とする実施形態１〜８の何れかに係る画像処理装置。
【０１４７】
［実施形態１０］  前記プレイリスト処理手段は、前記プレイリストプレイリストの日時情報を生成するときに用いた画像データと同じ画像データの位置情報に基づいて前記プレイリストの位置情報を生成することを特徴とする実施形態９に係る画像処理装置。
【０１４８】
［実施形態１１］    前記プレイリストによる指定の候補となる前記画像データは、ランダムアクセス可能な記録媒体に記録されていることを特徴とする実施形態１〜１０の何れかに係る画像処理装置。
【０１４９】
［実施形態１２］  前記プレイリストデータは、静止画像データの前記再生態様としての再生順序、再生日時、エフェクトの何れかを示すデータであることを特徴とする実施形態１〜１１の何れかに係る画像処理装置。
【０１５０】
［実施形態１３］  前記プレイリストデータは、動画像データの前記再生態様としての再生順序、再生開始点及び再生終了点、再生日時、エフェクトの何れかを示すデータであることを特徴とする実施形態１〜１２の何れかに係る画像処理装置。
【０１５１】
［実施形態１４］  画像データ及び前記画像データの再生態様を示すプレイリストデータを処理する画像処理装置の制御方法であって、前記プレイリストにて指定されている前記画像データに関する日付情報に基づいて前記プレイリストの日付情報を生成し、この生成された日付情報を前記プレイリストに付加して前記プレイリストデータを生成するプレイリスト処理工程を備えたことを特徴とする画像処理装置の制御方法。
【０１５２】
［実施形態１５］  前記プレイリスト処理工程は、前記プレイリストにて指定されている画像データの中で、最初に再生される画像データの日時情報に基づいて前記プレイリストの日時情報を生成することを特徴とする実施形態１４に係る画像処理装置の制御方法。
【０１５３】
［実施形態１６］  前記プレイリスト処理工程は、前記プレイリストにて指定されている画像データの中で、最後に再生される画像データの日時情報に基づいて前記プレイリストの日時情報を生成することを特徴とする実施形態１４に係る画像処理装置の制御方法。
【０１５４】
［実施形態１７］  前記プレイリスト処理工程は、前記プレイリストにて指定されている画像データの中で、最も古い日時情報をもつ画像データの日時情報に基づいて前記プレイリストの日時情報を生成することを特徴とする実施形態１４に係る画像処理装置の制御方法。
【０１５５】
［実施形態１８］  前記プレイリスト処理工程は、前記プレイリストにて指定されている画像データの中で、最も新しい日時情報をもつ画像データの日時情報に基づいて前記プレイリストの日時情報を生成することを特徴とする実施形態１４に係る画像処理装置の制御方法。
【０１５６】
［実施形態１９］  前記プレイリスト処理工程は、前記プレイリストに登録されている画像データの中で、最初に再生される画像データの日時情報、又は最後に再生される画像データの日時情報、又は最も古い日時情報をもつ画像データの日時情報、又は最も新しい日時情報をもつ画像データの日時情報の何れか１つを選択させる選択工程を有し、前記選択工程により選択された日時情報に基づいて前記プレイリストの日時情報を生成することを特徴とする実施形態１４に係る画像処理装置の制御方法。
【０１５７】
［実施形態２０］  前記プレイリスト処理工程は、さらに前記プレイリストを作成した日時の日時情報、設定可能な任意の日時情報を加えた６つの日時情報の中から１つを選択させることを特徴とする実施形態１９に係る画像処理装置の制御方法。
【０１５８】
［実施形態２１］  前記プレイリストは、サムネイル画像を指定することが可能であり、前記プレイリスト処理工程は、前記プレイリストにて指定されている画像データを利用して前記プレイリストのサムネイル画像を生成し、この生成されたサムネイル画像を前記プレイリストに付加して前記プレイリストデータを生成することを特徴とする基本構成、実施形態１４〜２０の何れかに係る画像処理装置の制御方法。
【０１５９】
［実施形態２２］  前記プレイリスト処理工程は、前記プレイリストの日時情報を作成するときに用いた画像データと同じ画像データに基づいて前記プレイリストのサムネイル画像を生成することを特徴とする実施形態２１に係る画像処理装置の制御方法。
【０１６０】
［実施形態２３］  前記画像データとプレイリストは、位置情報を指定することが可能であり、前記プレイリスト処理工程は、前記プレイリストにて指定されている前記画像データに関する位置情報に基づいて前記プレイリストの位置情報を生成し、この生成された位置情報を前記プレイリストに付加して前記プレイリストデータを生成することを特徴とする実施形態１４〜２２の何れかに係る画像処理装置の制御方法。
【０１６１】
［実施形態２４］  前記プレイリスト処理工程は、前記プレイリストプレイリストの日時情報を生成するときに用いた画像データと同じ画像データの位置情報に基づいて前記プレイリストの位置情報を生成することを特徴とする実施形態２３に係る画像処理装置の制御方法。
【０１６２】
［実施形態２５］    前記プレイリストによる指定の候補となる前記画像データは、ランダムアクセス可能な記録媒体に記録されていることを特徴とする実施形態１４〜２４の何れかに係る画像処理装置の制御方法。
【０１６３】
［実施形態２６］  前記プレイリストデータは、静止画像データの前記再生態様としての再生順序、再生日時、エフェクトの何れかを示すデータであることを特徴とする実施形態１４〜２５の何れかに係る画像処理装置の制御方法。
【０１６４】
［実施形態２７］  前記プレイリストデータは、動画像データの前記再生態様としての再生順序、再生開始点及び再生終了点、再生日時、エフェクトの何れかを示すデータであることを特徴とする実施形態１４〜２６の何れかに係る画像処理装置の制御方法。
【０１６５】
［実施形態２８］  画像データ及び前記画像データの再生態様を示すプレイリストデータを処理する画像処理装置により実行される制御プログラムであって、前記プレイリストにて指定されている前記画像データに関する日付情報に基づいて前記プレイリストの日付情報を生成し、この生成された日付情報を前記プレイリストに付加して前記プレイリストデータを生成する内容を有することを特徴とする制御プログラム。
【０１６６】
【発明の効果】
以上説明したように、本発明によれば、コンテンツを一覧表示した場合に、より一層コンテンツを容易に把握し得る画像処理装置を実現でき、検索性が向上する。
【図面の簡単な説明】
【図１】第１の実施の形態に係る画像処理装置の構成を示す機能ブロック図である。
【図２】第１の実施形態に係るプレイリスト保存処理を示すフローチャートである。
【図３】第１の実施形態のコンテンツ一覧表示例である。
【図４】第２の実施の形態に係る画像処理装置の構成を示す機能ブロック図である。
【図５】第２の実施形態に係るプレイリスト保存処理を示すフローチャートである。
【図６】第２の実施形態のコンテンツ一覧表示例である。
【図７】第３の実施形態に係るプレイリスト保存処理を示すフローチャートである。
【図８】第３の実施形態のコンテンツ一覧表示例である。
【図９】日時情報を基準にしたコンテンツ一覧表示例である。
【図１０】位置情報を基準にしたコンテンツ一覧表示例である。
【図１１】プレイリスト編集画面例である。
【図１２】従来のプレイリスト編集結果のコンテンツ一覧表示例である（日時情報基準）。
【図１３】従来のプレイリスト編集結果のコンテンツ一覧表示例である（位置情報基準）。
【符号の説明】
１１０：記録媒体
１２０：Ｉ／Ｏ部
１３０：プレイリスト日時情報取得部
１４０：画像データメタデータ取得部
１５０：コンテンツ一覧表表示部
１６０：プレイリスト編集管理部
１７０：ユーザ操作部
１８０：プレイリスト編集表示部
１９０：切替スイッチ
２００：モニタ
２１０：プレイリスト日時情報付加部
３００：ＣＰＵ
３０１：ＲＯＭ
３０２：ＲＡＭ
４３０：プレイリストメタデータ取得部
５１０：プレイリストメタデータ付加部
【図１】
2004187066.tif 000003
【図２】
2004187066.tif 000004
【図３】
2004187066.tif 000005
【図４】
2004187066.tif 000006
【図５】
2004187066.tif 000007
【図６】
2004187066.tif 000008
【図７】
2004187066.tif 000009
【図８】
2004187066.tif 000010
【図９】
2004187066.tif 000011
【図１０】
2004187066.tif 000012
【図１１】
2004187066.tif 000013
【図１２】
2004187066.tif 000014
【図１３】
2004187066.tif 000015